(57)【特許請求の範囲】
【請求項１】
同一の絶縁性基板上にpHセンサ用キンヒドロン電極およびバイオセンサ用電極を設け、pHセンサ用キンヒドロン電極で得られたpHでバイオセンサ用電極の検量線を選定し、目的物質濃度を測定することを特徴とするバイオセンサによる濃度測定方法。
【請求項２】
キンヒドロン電極が作用極および参照極の少なくとも一方の電極上にキンヒドロンおよび塩化ナトリウムまたは塩化カリウムよりなる反応層を形成せしめたものである請求項１記載のバイオセンサによる濃度測定方法。
【請求項３】
検量線データーを記憶させた測定器により、目的物質濃度の測定が行われる請求項１記載のバイオセンサによる濃度測定方法。
【発明の詳細な説明】
【０００１】
【発明の属する技術分野】
本発明は、バイオセンサによる濃度測定方法に関する。更に詳しくは、ｐＨ補正が行われたバイオセンサによる濃度測定方法に関する。
【０００２】
【従来の技術】
バイオセンサに使用される酵素または微生物の活性（出力）は、ｐＨによって大きく左右される。例えば、酵素としてグルコースオキシダーゼを用いた場合には、好適なｐＨ範囲は４〜６の範囲にあり、アルカリ性側もしくは極端な酸性側では酵素活性は急激に低下する。このため、従来のバイオセンサにあっては、サンプルのｐＨがある程度一定の場合は別として、サンプルを緩衝液で希釈したり、あるいは緩衝塩を基板上またはその周辺に担持させるなどの方法がとられている。しかしながら、このような方法では、サンプルｐＨの影響を十分に排除することは不可能である。
【０００３】
【発明が解決しようとする課題】
本発明の目的は、バイオセンサを用いる濃度測定方法において、サンプルｐＨの影響を補正によって排除し、正確な目的物質濃度を測定し得る方法を提供することにある。
【０００４】
【課題を解決するための手段】
かかる本発明の目的は、同一の絶縁性基板上にpHセンサ用キンヒドロン電極およびバイオセンサ用電極を設け、pHセンサ用キンヒドロン電極で得られたpHでバイオセンサ用電極の検量線を選定し、目的物質濃度を測定することによって達成される。
【０００５】
【発明の実施の形態】
セラミックス、ガラス、プラスチック、紙、生分解性材料（例えば、微生物生産ポリエステル等）などの絶縁性基板上には、バイオセンサ用電極を構成する作用極および対極あるいは作用極、対極および参照極が設けられる。作用極、対極および参照極リードは、スクリーン印刷法、蒸着法、スパッタリング法などによって白金、金、銀、パラジウム、カーボン等から形成され、参照極は参照極リード上にスクリーン印刷法、蒸着法、スパッタリング法、フィルム貼付け法などによって一旦銀電極を形成させた後、定電流電解する方法あるいは塩化第２鉄水溶液中に浸漬する方法、更にはスクリーン印刷法によって塩化銀を塗布、積層させる方法などによって形成される。その後、各電極の中央部分が樹脂製絶縁膜などによって被覆される。なお、参照極を設けない２電極構造のものとすることもできる。
【０００６】
一般に、作用極上および対極上には酸化還元酵素および電子伝達体の混合物層の形成が行われ、参照極を設けた場合にはその上にも混合物層の形成が行われる。酸化還元酵素としてはグルコースオキシダーゼ（ＧＯＤ）、乳酸オキシダーゼ、アルコールオキシダーゼ、フルクトースデヒドロゲナーゼ、ピルビン酸オキシダーゼ等が、また電子伝達体としてはフェリシアン化カリウム、パラベンゾキノン、フェロセン等が一般に用いられる。
【０００７】
グルコースがＧＯＤの作用により酵素の存在下で酸化されてグルコノラクトンを生成させ、そのとき発生するＨ２Ｏ２を作用極上で酸化し、その際の酸化電流値を測定することにより、グルコース濃度を間接的に求める方法は周知である。しかしながら、測定液が水で希釈されない原液サンプルの場合には、酸化反応が溶存酸素濃度に律速されるため、グルコース濃度が約１００ｍｇ／ｄｌ程度迄しか直線検量範囲を示さない。そして、例えば使い捨てグルコースバイオセンサなどにあっては、多くの場合原液サンプルについての測定が行われる。
【０００８】
そこで、溶液中濃度が有限である酸素の代わりに、電子伝達体（メディエータ）がＧＯＤ等と共に用いられる。メディエータがフェリシアン化カリウムＫ３Ｆｅ（ＣＮ）６の場合、この反応は次のように進行する。
0003550675.tif 000002
この際発生したフェロシアンイオンは、作用極で酸化されて酸化電流を生ずる。
0003550675.tif 000003
【０００９】
また、メディエータとしてフェリシアン化カリウムの代わりにパラベンゾキノンを用いた場合には、ＧＯＤ存在下でのグルコースとパラベンゾキノンとの反応でヒドロキノンが生成し、この際生成したヒドロキノンは作用極で酸化され、酸化電流を生ずるのでその値が測定される。
0003550675.tif 000004
【００１０】
これらの各電極上への混合物層の形成は、水１ｍｌ当りＧＯＤ約１〜５０ｍｇ、好ましくは約１〜２０ｍｇ（１６５８００単位の場合）およびパラベンゾキノン約１〜２００ｍｇ、好ましくは約５０〜１８０ｍｇまたはフェリシアン化カリウム約１〜１００ｍｇ、好ましくは約１０〜６０ｍｇを溶解させた水溶液約０．５〜１０μｌ、好ましくは約０．５〜３μｌを滴下法、スピンコート法などによって作用極上に滴下することによって行われ、そこに約０．０５〜１０μｍ、好ましくは約０．１〜２μｍの膜厚の混合物層を形成させる。なお、この溶媒としてはアルコール、アルコール水溶液等も用いられる。
【００１１】
かかるバイオセンサ用電極を形成させた絶縁性基板上には、pHセンサ用電極も同時に設けられる。pHセンサ用電極としては、キンヒドロン電極が用いられる。
【００１２】
キンヒドロン電極の場合、キンヒドロン（キノン−ヒドロキノン等モル分子化合物）が水に溶解すると、次のような反応が起こる。
0003550675.tif 000005
従って、平衡電極電位（酸化還元電位）Ｅは、
Ｅ＝Ｅ０−２．３０３ＲＴ［ｐＨ］／２Ｆ
Ｅ０：標準電極電位
Ｆ：ファラデー定数
となり、測定液中の水素イオンに対して可逆的に応答することから、ｐＨセンサとして使用することができる。
【００１３】
ここでは参照極として銀／塩化銀電極が用いられるが、カーボン作用極との間の端子間電圧を測定する際に、微小の電流が流れる必要がある。そのため、電荷の担い手である塩化物の存在が必要となる。塩化物としては、イオンの移動度との関係から塩化ナトリウムおよび塩化カリウムが用いられ、皮膚との接触によるかぶれを予防する上からは塩化ナトリウムの使用が望ましい。
【００１４】
塩化物層の形成は、参照極上ばかりではなく、作用極上あるいはこれら両方の電極上に行うこともできる。具体的には、キンヒドロン層上に塩化物水溶液を添加することにより、キンヒドロンと塩化物との混合物層として形成され、それらの量はキンヒドロンにあっては約０．１〜２０ｍＭ、好ましくは約０．５〜５ｍＭであり、塩化物にあっては約１〜２０００ｍＭ、好ましくは約１０〜１００ｍＭであり、かつ塩化物がキンヒドロンに対して約２〜２００、好ましくは約２〜２０のモル比となるような量である  。
【００１５】
かかる塩化物存在下での銀／塩化銀電極および平衡電極電位は次の如くであり、サンプルのｐＨは、このような両電極間の電位差を測定することによって求められる。
ＡｇＣｌ  ＋  ｅ￣  →  Ａｇ  ＋  Ｃｌ￣
Ｅｅ＝Ｅ０´−２．３０３ＲＴ  ｌｏｇ  ［Ｃｌ￣］／Ｆ
【００１６】
バイオセンサ用電極部分およびpHセンサ用キンヒドロン電極部分の個々の形成はこのようにして行われるが、これらを同一絶縁性基板上で複合化させる場合には、例えば次のようにして行われる。まず、同一絶縁性基板上にpHセンサ用のカーボン電極およびカーボンリードの銀電極を対向電極として設けると共に、バイオセンサ用電極として１対のカーボン電極を対向電極として設け、銀電極表面を塩化銀化して塩化銀／銀参照極とする。次いで、pHセンサ用対向電極上にキンヒドロン水溶液を滴下し、乾燥させた後塩化ナトリウム水溶液を滴下して反応層を形成させる。また、バイオセンサ用の作用極上には酵素-メディエータ混合物水溶液を滴下し、乾燥させて、混合物層を形成させる。
【００１７】
このようにして形成されるバイオセンサを用いての目的物質濃度の測定は、目的物質がグルコースの場合、次のようにして行われる。
（１）まずｐＨを測定し、次いでグルコース濃度依存の出力電流を測定して、測定ｐＨを合わせたグルコース値を出力、表示させる
（２）ｐＨとグルコース濃度依存の出力電流とを同時に測定して、測定ｐＨに合わせたグルコース値を出力、表示させる
（３）グルコース濃度依存の出力電流を先に測定し、その後ｐＨを測定して、測定ｐＨに合わせたグルコース値を出力、表示させる
【００１８】
これらの測定方法にあっては、まずｐＨ検量線および各ｐＨに応じたグルコースセンサの検量線を測定器回路中に記憶させておき、測定ｐＨに応じた検量線を測定器中で選択させ、グルコース濃度依存の出力電流値を選択した検量線に適合させ、グルコース濃度を出力、表示させることが行われる。このとき、測定ｐＨ値を同時に出力、表示してもよい。
【００１９】
なお、ｐＨの測定では、滴下１分後の電位値をｐＨ依存出力電位とした。また、グルコース濃度の測定では、このようにして作製されたグルコースバイオセンサに所定濃度のグルコース水溶液を滴下して約５〜１８０秒間程度反応させた後、そこに約０．０５〜１．０Ｖ、好ましくは約０．５〜０．７Ｖの電圧を印加し、例えば印加１０秒後の電流値をグルコース濃度依存出力電流値とした。測定には、ポテンショガルバノスタットおよびファンクションジェネレータが用いられる。
【００２０】
【発明の効果】
本発明方法により、バイオセンサ出力に与えるサンプルｐＨの影響を補正し、正確な目的物質濃度測定値を得ることができるので、食品製造工程中のグルコース管理、醗酵研究などの場で有効に用いることができる。
【００２１】
このｐＨ補正式バイオセンサは、グルコースバイオセンサばかりではなく、アルコールバイオセンサ、乳酸バイオセンサ、ピルビン酸バイオセンサ、ＢＯＤバイオセンサ等にも有効に適用される。
【００２２】
【実施例】
次に、実施例について本発明を説明する。
【００２３】
実施例
ポリエチレンテレフタレート基板上に、ｐＨセンサ用のカーボン電極およびカーボンリードの銀電極各１本を、またグルコースセンサ用電極としてカーボン電極を２本（対極および作用極）を、それぞれスクリーン印刷法によって形成させた。そして、銀電極を参照電極とするために、０．１Ｍ塩化第２銀水溶液５μｌを銀電極上に滴下し、１時間室温に放置した後水洗し、その後一夜空気中に放置して、銀電極表面を塩化銀化した。
【００２４】
濃度２００ｍｇ／ｄｌのキンヒドロン水溶液を、ｐＨセンサ用のカーボン作用極および塩化銀／銀参照極の両者にかかるように１０μｌ滴下し、室温に１時間放置した後、５０ｍＭ塩化ナトリウム水溶液をこれら両電極にかかるように滴下、乾燥させて、ｐＨセンサ用電極上に反応層を形成させた。
【００２５】
また、水１ｍｌに対してグルコースオキシダーゼ（１６５８００Ｕ／ｇ）１０ｍｇおよびフェリシアン化カリウム４８ｍｇの割合で溶解させた水溶液１．５μｌを、グルコースセンサ用作用極上に滴下し、室温で乾燥させて、グルコースバイオセンサを形成させた。
【００２６】
グルコース濃度０、２００、４００、６００、８００または１０００ｍｇ／ｄｌのサンプル液をｐＨ４、５、６、７または８毎に調製し、総量５０μｌの各サンプル液を、ｐＨセンサおよびグルコースセンサの両方にかかるように滴下し、各ｐＨ毎のグルコース濃度依存出力電流値を測定し、グルコース検量線を選定した。
【００２７】
この場合、サンプル液滴下後８０秒間静置し、次いで２極間に０．６Ｖの電圧を印加し、印加１０秒後の電流値をグルコース濃度依存出力電流値とした。
0003550675.tif 000006
【００２８】
また、グルコース濃度が０である水の場合の各ｐＨに対する電位を測定し、ｐＨ検量線とした。この場合、水の滴下１分後の電位値を、ｐＨ濃度依存出力電位とした。
0003550675.tif 000007
【００２９】
次いで、これらのデーターを別途製作したｐＨ補正グルコース測定器に記憶させた。
【００３０】
グルコース濃度３００ｍｇ／ｄｌ、ｐＨ５のサンプル液について、その５０μｌを両センサにかかるように滴下し、測定器の表示結果を求めた。得られた結果（ｎ＝５）は、実施例として示される。なお、センサは、１サンプル液毎に使い捨てとした。また、ｐＨ７の条件で、グルコース検量線しか記憶していない測定器を用いた結果が、比較例として併記されており、そこでは実際の濃度より高めの表示がなされている。
実施例：３００、２９８、３０２、３００、２９９  （平均）３００ｍｇ／ｄｌ
比較例：３６２、３６５、３６０、３６１、３６３  （平均）３６２ｍｇ／ｄｌ